【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
用紙を収容する複数の給紙トレイを有し、そのうちの少なくとも一つの給紙トレイは、用紙補給時に該給紙トレイを引出すことにより該給紙トレイより上流の他の給紙トレイからの給紙を行うことができない給紙トレイであり、前記複数の給紙トレイから給紙される用紙に画像を形成する画像形成システムであって、
画像形成システムで実行される複数のジョブを受付け、ジョブ情報を取得するジョブ受付部と、
前記ジョブ受付部が取得したジョブ情報から、それぞれのジョブに使用する用紙を収納する給紙トレイから給紙が行われるごとの給紙実行時間を演算し、さらに、用紙補給が必要となる給紙トレイについて当該給紙トレイが使用されず且つ給紙位置から引出すことが可能な時間帯を演算する演算部と、
前記演算部で演算された時間帯に基づいて、用紙補給が必要で且つ給紙位置から引出すことが可能な給紙トレイを表示する表示部と、
を有することを特徴とする画像形成システム。
【請求項２】
前記少なくとも一つの給紙トレイは、前記他の給紙トレイから搬送される用紙の搬送経路の一部と一体的に構成され、用紙補給時に該搬送経路ごと引出せるように構成される搬送経路付き給紙トレイであることを特徴とする請求項１に記載の画像形成システム。
【請求項３】
前記複数の給紙トレイについて、各給紙トレイに用紙を補給するに必要な用紙補給所要時間を記憶する記憶部をさらに有し、
前記演算部は、前記給紙実行時間と前記用紙補給所要時間とを比較して、用紙補給が必要となる給紙トレイについて当該給紙トレイが使用されず且つ給紙位置から引出すことが可能な時間帯を演算することを特徴とする請求項２に記載の画像形成システム。
【請求項４】
前記記憶部に記憶される前記用紙補給所要時間は、給紙トレイごとに任意に設定できるよう構成されることを特徴とする請求項３に記載の画像形成システム。
【請求項５】
前記表示部は、受け付けたジョブに対し各給紙トレイの使用状況を表示する表示画面を有し、当該表示画面で用紙補給が必要で且つ給紙位置から引出すことが可能な給紙トレイを表示することを特徴とする請求項１から４のいずれか１項に記載の画像形成システム。
【請求項６】
前記表示部は、受け付けたジョブの実行予定を表示する表示画面を有し、当該表示画面で用紙補給が必要で且つ給紙位置から引出すことが可能な給紙トレイを表示することを特徴とする請求項１から４のいずれか１項に記載の画像形成システム。
【請求項７】
前記演算部は、用紙補給が必要となる給紙トレイ上の用紙がエンプティになる時間に基づき、それ以前の時点で給紙トレイが使用されず且つ給紙位置から引出すことが可能な時間帯を演算することを特徴とする請求項１から６のいずれか１項に記載の画像形成システム。
【請求項８】
前記演算部は、用紙補給が必要となる給紙トレイ上の用紙が所定枚数以下になる時間に基づき、それ以前の時点で給紙トレイが使用されず且つ給紙位置から引出すことが可能な時間帯を演算することを特徴とする請求項１から６のいずれか１項に記載の画像形成システム。
【請求項９】
前記所定枚数は、給紙トレイごとに任意に設定できるよう構成されることを特徴とする請求項８に記載の画像形成システム。
【手続補正２】
【補正対象書類名】明細書
【補正対象項目名】００１７
【補正方法】変更
【補正の内容】
【００１７】
本発明は、上記のような課題を解決し、通常の給紙トレイのみならず用紙補給時にその給紙トレイを引出すことによりその給紙トレイより上流の他の給紙トレイからの給紙を行うことができない給紙トレイに対しても、それぞれの給紙トレイへの用紙補給に必要な時間を考慮して、的確に用紙の補給可能時期をオペレータに知らせることのできる画像形成システムを提供することを目的とする。
【手続補正３】
【補正対象書類名】明細書
【補正対象項目名】００１８
【補正方法】変更
【補正の内容】
【００１８】
上記目的は、次の本発明により達成される。すなわち、
１．用紙を収容する複数の給紙トレイを有し、そのうちの少なくとも一つの給紙トレイは、用紙補給時に該給紙トレイを引出すことにより該給紙トレイより上流の他の給紙トレイからの給紙を行うことができない給紙トレイであり、前記複数の給紙トレイから給紙される用紙に画像を形成する画像形成システムであって、
画像形成システムで実行される複数のジョブを受付け、ジョブ情報を取得するジョブ受付部と、
前記ジョブ受付部が取得したジョブ情報から、それぞれのジョブに使用する用紙を収納する給紙トレイから給紙が行われるごとの給紙実行時間を演算し、さらに、用紙補給が必要となる給紙トレイについて当該給紙トレイが使用されず且つ給紙位置から引出すことが可能な時間帯を演算する演算部と、
前記演算部で演算された時間帯に基づいて、用紙補給が必要で且つ給紙位置から引出すことが可能な給紙トレイを表示する表示部と、
を有することを特徴とする画像形成システム。
【手続補正４】
【補正対象書類名】明細書
【補正対象項目名】００１９
【補正方法】変更
【補正の内容】
【００１９】
さらに具体的には、
２．前記少なくとも一つの給紙トレイは、前記他の給紙トレイから搬送される用紙の搬送経路の一部と一体的に構成され、用紙補給時に該搬送経路ごと引出せるように構成される搬送経路付き給紙トレイであることを特徴とする前記１に記載の画像形成システム。
３．前記複数の給紙トレイについて、各給紙トレイに用紙を補給するに必要な用紙補給所要時間を記憶する記憶部をさらに有し、前記演算部は、前記給紙実行時間と前記用紙補給所要時間とを比較して、用紙補給が必要となる給紙トレイについて当該給紙トレイが使用されず且つ給紙位置から引出すことが可能な時間帯を演算することを特徴とする前記２に記載の画像形成システム。
４．前記記憶部に記憶される前記用紙補給所要時間は、給紙トレイごとに任意に設定できるよう構成されることを特徴とする前記３に記載の画像形成システム。
５．前記表示部は、受け付けたジョブに対し各給紙トレイの使用状況を表示する表示画面を有し、当該表示画面で用紙補給が必要で且つ給紙位置から引出すことが可能な給紙トレイを表示することを特徴とする前記１から４のいずれか１項に記載の画像形成システム。６．前記表示部は、受け付けたジョブの実行予定を表示する表示画面を有し、当該表示画面で用紙補給が必要で且つ給紙位置から引出すことが可能な給紙トレイを表示することを特徴とする前記１から４のいずれか１項に記載の画像形成システム。
７．前記演算部は、用紙補給が必要となる給紙トレイ上の用紙がエンプティになる時間に基づき、それ以前の時点で給紙トレイが使用されず且つ給紙位置から引出すことが可能な時間帯を演算することを特徴とする前記１から６のいずれか１に記載の画像形成システム。
８．前記演算部は、用紙補給が必要となる給紙トレイ上の用紙が所定枚数以下になる時間に基づき、それ以前の時点で給紙トレイが使用されず且つ給紙位置から引出すことが可能な時間帯を演算することを特徴とする前記１から６のいずれか１に記載の画像形成システム。
９．前記所定枚数は、給紙トレイごとに任意に設定できるよう構成されることを特徴とする前記８に記載の画像形成システム。
【手続補正５】
【補正対象書類名】明細書
【補正対象項目名】００２０
【補正方法】変更
【補正の内容】
【００２０】
本発明によれば、用紙補給時にその給紙トレイを引出すことによりその給紙トレイより上流の他の給紙トレイからの給紙を行うことができない給紙トレイを含む各給紙トレイについて、用紙補給が必要となった給紙トレイをいつの時間帯で給紙位置から引出して用紙補給が完了できるかを表示することできるので、オペレータは的確に用紙補給を行うことができ、ダウンタイムを生じる恐れが無いという効果を奏する。